(57)【要約】      （修正有）【課題】般若心経等の経文が読め、また迷子札と兼用として、当人の詳細事項を書き込み、かつその内容があからさまには見えないようにしたお守札を提供する。【解決手段】セラミックス又はガラス又は金属板又は紙類又は不織布の表面に、持ち主の住所、氏名、連絡先、持病等の個人情報を含む情報を、マトリックス方式の２次元コード２として焼き付けて守札、迷子札１を構成する。該守札あるいは迷子札１の表面に神仏を表す文字等を記し、裏面に上記情報を含む２次元コード２を焼き付ける様にしても良い。【選択図】図２
0003161031.tif 000002
【実用新案登録請求の範囲】
【請求項１】
セラミックス又はガラス又は金属板又は紙類又は不織布等の表面に、マトリックス方式の２次元コードを焼き付けてなる守札、迷子札。
【請求項２】
前記迷子札の表面に焼き付けた２次元コードに個人情報、即ち、住所、氏名、年齢、詳細な血液型、持病、電話番号等を格納したことを特徴とする請求項１の迷子札。
【請求項３】
前記守札の表面に焼き付けた２次元コードに般若心経等、経文を格納してなる請求項１の守札。
【請求項４】
前記守札及び迷子札の一面に住所、氏名、年齢、詳細な血液型、持病、電話番号等の個人情報を格納した２次元コードを焼きつけ、他面には般若心経等、経典を格納した２次元コードを焼き付けてなる請求項１及び請求項２及び請求項３の守札、迷子札。
【請求項５】
前記守札及び迷子札の表面に神仏を表す文字等を記し、裏面には氏名、年齢、詳細な血液型、持病、電話番号等の個人情報を格納した２次元コードを焼きつけてなる請求項１及び請求項２及び請求項３の守札、迷子札。
【請求項６】
前記守札を入れる錦織等からなる袋の一側、即ち守札に焼き付けた２次元コードの該当する部位に、当該２次元コードを外部から見ることが出来る開口部を設けてなる請求項１及び請求項２及び請求項４及び請求項５の守札、迷子札。
【考案の詳細な説明】
【技術分野】
【０００１】  本考案は、従来の守札、迷子札の改良に関するものである。
【背景技術】
【０００２】  従来より守札、迷子札は広く利用されている。守札は社寺の護符や呪符を身につけて、悪霊を防ぐもの。紙、布、木の葉、木片、貝、金属などに神仏の名や経典の呪文が記されており、虫除け、火難水難除け、厄病除けから家内安全、交通安全、安産祈願、合格祈願、商売繁盛まで、その目的は多方面にわたる。【０００３】  守札は通常「お守り」と呼ばれ、錦などで作られた袋に入れられた状態で頒布されている。元々は陰陽道や寺院で作られたものが神道にも導入されたものであり、今日でも、寺院でも神社と同様の守札が頒布されている。お札が家庭の守りであるのに対し、守札は個人的に神の利益を願うものである。身につけるものであるとされる。【０００４】  迷子札は、住所、氏名、電話番号等が記されているのが普通であり、従来は幼子の身に着けていたものであるが、近年は痴呆症の老人等にもつけている。しかし、個人情報の開示ということから、この程度の個人情報もあからさまに記すということに抵抗を感じる向きもあった。またこれは幼子、老人を問わずに言えることであるが、事故に遭遇したような場合に、詳細な血液型であるとか、特別な持病をもつものは、それが記されていれば緊急時に役立つのであるが、迷子札にしても大きさの問題もあり、多数の文字を表示するには困難な面もあった。【０００５】  また守札にしても、単に神仏を表す文字等を記すだけでなく、経文も記しておけば良いのであるが、例えば般若心経を記すにしても文字数は２６０余となり、肉眼で読み取れる文字とするならば、最低でも４ｃｍ角は必要となることから、大きさの関係から言えばお守りに経文を記すことは難事であった。
【考案の開示】
【考案が解決しようとする課題】
【０００５】  社寺の護符や呪符を身につけて、悪霊を防ぐという単なる守札でなく、般若心経等の経文が読めるようにし、また迷子札と兼用として、当人の詳細事項を書き込み、当該個人の詳細事項があからさまには見えないようにすること、これが発明が解決しようとする課題である。
【課題を解決するための手段】
【０００６】  個人の情報等を小面積に表示するには、読み取りの速さと正確さ、操作性の高さなどの特長から広く普及しているバーコードがあるが、バーコードは横方向にしか情報を持たないので、縦横に情報をもつ２次元コードであれば格納できる情報量が多く、数字だけでなく英字や漢字のデータも格納できるものであり、守札に個人の情報等、また般若心経等の経文を格納した当該２次元コードを付すること、これが問題を解決するための手段である。
【考案の効果】
【０００７】  セラミックス又はガラス又は金属板又は紙類又は不織布等の表面に、マトリックス方式の２次元コードを焼き付けてなる守札、迷子札であり、更には、前記迷子札の表面に焼き付けた２次元コードに個人情報、即ち、住所、氏名、年齢、詳細な血液型、持病、電話番号等を格納したことを特徴とする迷子札であり、更には、前記守札の表面に焼き付けた２次元コードに般若心経等、経文を格納してなる守札であり、更には、前記迷子札の一面に住所、氏名、年齢、詳細な血液型、持病、電話番号等の個人情報を格納した２次元コードを焼きつけ、他面の守札には般若心経等、経典を格納した２次元コードを焼き付けてなる守札、迷子札であり、更には、前記守札の表面に神仏を表す文字等を記し、裏面には氏名、年齢、詳細な血液型、持病、電話番号等の個人情報を格納した２次元コードを焼きつけてなる守札、迷子札であり、更には、前記守札、迷子札を入れる錦織等からなる袋の一側、即ち守札、迷子札に焼き付けた２次元コードの該当する部位に、当該２次元コードを外部から見ることが出来る開口部を設けてなる守札、迷子札であるから、従来の守札は単に社寺の護符や呪符を身につけて、悪霊を防ぐものであり、迷子札にあっては名前と住所、電話番号程度の記載であったが、本考案では、格納できる情報量が多く、数字だけでなく英字や漢字のデータも格納できる２次元コード、即ち縦横に情報をもつＱＲコードを守札或いは迷子札に付しているので、ＱＲコードは漢字、ひらがなで１．８１７文字が格納でき、個人の情報は詳細に表示できる、また当該ＱＲコードの読み取りも現在ではほとんどの携帯電話で可能であり、情報は判永久的に保存でき、しかも容易に表示することが出来る。しかも、個人情報をあからさまに表示するのでなく、ＱＲコードに格納しているのでセキュリティにも万全である。また、守札或いは迷子札は収納している袋のＱＲコードに該当する部位に開口部を設けているので、札を袋から出さずとも読み取ることが出来る。更に、守札１にあっては単なる社寺の護符や呪符でなく、般若心経等の経文をＱＲコードに格納しているので、寺院に参拝の折には、当該ＱＲコードを読み取り、般若心経等を読経することが出来る。その上、迷子札にあっては、従来の迷子札が主として幼児対象で会ったが、アルツハイマー型認知症等の人々にも携帯させれば、緊急時にその人の血液型、病状等の情報が病院において即座に読み取ることが出来、緊急医療に大いに役立つものである。また守札、迷子札は軽量強化磁器としているので焼成時の変形も少なく強度も得られ、その表面にＱＲコードをシルクスクリーン印刷や４色分解フイルムにより印刷した後、ガラス質で表面を覆い、８００〜１２５０℃の高温で焼成しているので、磁器と印刷面が非常に硬いガラス質に覆われ、高耐久性が得られる。またＱＲコードについては、将来は更に情報量が増えたものが開発されるであろうし、個人の情報をセキュリティを保持しながら表示するには極めて顕著なる効果を有するものである。
【考案を実施するための最良の形態】
【０００８】  セラミックス又はガラス又は金属板又は紙類又は不織布等の表面に、マトリックス方式の２次元コードを焼き付けてなる守札であり、更には、前記迷子札の表面に焼き付けた２次元コードに個人情報、即ち、住所、氏名、年齢、詳細な血液型、持病、電話番号等を格納したことを特徴とする請求項１の迷子札であり、更には、前記守札の表面に焼き付けた２次元コードに般若心経等、経文を格納してなる請求項１の守札であり、更には、前記一面の迷子札に住所、氏名、年齢、詳細な血液型、持病、電話番号等の個人情報を格納した２次元コードを焼きつけ、他面の守札には般若心経等、経典を格納した２次元コードを焼き付けてなる請求項１及び請求項２及び請求項３の守札、迷子札であり、更には、前記守札の表面に神仏を表す文字等を記し、裏面には氏名、年齢、詳細な血液型、持病、電話番号等の個人情報を格納した２次元コードを焼きつけてなる請求項１及び請求項２及び請求項３の守札、迷子札であり、更には、前記守札、迷子札を入れる錦織等からなる袋の一側、即ち守札、迷子札に焼き付けた２次元コードの該当する部位に、当該２次元コードを外部から見ることが出来る開口部を設けてなる請求項１及び請求項２及び請求項４及び請求項５の守札を呈せんとするものである。
【実施例１】
【０００９】  本考案において守札（迷子札）１の材料としてはセラミックス又はガラス又は金属板又は紙類又は不織布等としているが、本実施例においてはセラミックスとし、セラミックスは陶磁器全般をさしているが、本実施例においては焼成時の変形が少なく、しかも強度の得られる軽量強化磁器製としている。当該守札１の一面にマトリックス方式の２次元コード（本実施例においてはＱＲコードであり、以後の説明においてはＱＲコードという）を印刷している。印刷方法としては、守札、迷子札１の一面にＱＲコード２をシルクスクリーン印刷や４色分解フイルムにより印刷した後、ガラス質で表面を覆い、８００〜１２５０℃の高温で焼成している。ただ前述のように守札、迷子札１の材料としてはガラス類、金属類、紙類、不織布製のものもある。【００１０】  ＱＲコード２には、個人情報、即ち、住所、氏名、年齢、詳細な血液型、持病、電話番号等を格納し、緊急時に当該ＱＲコードを読み取ることにより、救急医療等にいて詳細な個人情報が即座に得られるようにしている。【００１１】  ＱＲコード２に般若心経等、経文を格納し、仏前又は墓前或いは寺院等を参拝する際に、当該ＱＲコード２を携帯電話等で読み取れば、携帯電話のモニター面に経文が表示され、当該経文を読みながら読経することが出来るようにしている。【００１２】  守札（迷子札）１の一面に住所、氏名、年齢、詳細な血液型、持病、電話番号等の個人情報を格納したＱＲコード２を焼きつけ、他面には般若心経等、経典を格納したＱＲコード２を焼き付け、一枚のカードで守札と迷子札を兼用すべく構成している。【００１３】  一面の守札１に神仏を表す文字等を記し、他面の迷子札側には氏名、年齢、詳細な血液型、持病、電話番号等の個人情報を格納したＱＲコード２を焼きつけて、一枚のカードで守札と迷子札を兼用すべく構成している。【００１４】  守札（迷子札）１を入れる錦織等からなる袋３の一側、即ち守札、迷子札１に焼き付けたＱＲコード２の該当する部位に、当該ＱＲコード２を外部から見ることが出来る開口部４を設けている。【００１５】  出願人は、守札（迷子札）１を錦織等からなる袋３に収納せずに、守札（迷子札）１そのものにストラップをつけたキーホルダータイプとすることも実施している。この場合、守札（迷子札）１の形状は四角形、丸形等、薗形状は問わない。また、その他の実施例として、袋３を錦織等の袋とせずに、透明なるビニール類としている。また従来と同じような紙類の守札１或いは不織布からなる守札、迷子札１の他面にＱＲコード２を付したものも実施している。
【産業上の利用可能性】
【００１６】セラミックス又はガラス又は金属板又は紙類又は不織布等の表面に、マトリックス方式の２次元コードを焼き付けてなる守札、迷子札であり、更には、前記迷子札の表面に焼き付けた２次元コードに個人情報、即ち、住所、氏名、年齢、詳細な血液型、持病、電話番号等を格納したことを特徴とする迷子札であり、更には、前記守札の表面に焼き付けた２次元コードに般若心経等、経文を格納してなる守札であり、更には、前記迷子札面に住所、氏名、年齢、詳細な血液型、持病、電話番号等の個人情報を格納した２次元コードを焼きつけ、他面の守札側には般若心経等、経典を格納した２次元コードを焼き付けてなる守札、守札であり、更には、前記守札の表面に神仏を表す文字等を記し、裏面には氏名、年齢、詳細な血液型、持病、電話番号等の個人情報を格納した２次元コードを焼きつけてなる守札、迷子札であり、更には、前記守札、迷子札を入れる錦織等からなる袋の一側、即ち守札、迷子札に焼き付けた２次元コードの該当する部位に、当該２次元コードを外部から見ることが出来る開口部を設けてなる守札、迷子札であるから、従来の守札は単に社寺の護符や呪符を身につけて、悪霊を防ぐものであり、迷子札にあっては名前と住所、電話番号程度の記載であったが、本考案では、格納できる情報量が多く、数字だけでなく英字や漢字のデータも格納できる２次元コード、即ち縦横に情報をもつＱＲコード２を守札１或いは迷子札１に付しているので、ＱＲコードは漢字、ひらがなで１．８１７文字が格納でき、個人の情報は詳細に表示できる、また当該ＱＲコード２の読み取りも現在ではほとんどの携帯電話で可能であり、情報は判永久的に保存でき、しかも容易に表示することが出来る。しかも、個人情報をあからさまに表示するのでなく、ＱＲコードに格納しているのでセキュリティにも万全である。更に、守札１にあっては単なる社寺の護符や呪符でなく、般若心経等の経文をＱＲコードに格納しているので、寺院に参拝の折には、当該ＱＲコードを読み取り、般若心経等を読経することが出来る。その上、迷子札にあっては、従来の迷子札が主として幼児対象で会ったが、アルツハイマー型認知症等の人々にも携帯させれば、緊急時にその人々の血液型、病状等の情報が病院において即座に読み取ることが出来、緊急医療に大いに役立つ。また守札、迷子札は軽量強化磁器としているので焼成時の変形も少なく強度も得られ、その表面にＱＲコード２をシルクスクリーン印刷や４色分解フイルムにより印刷した後、ガラス質で表面を覆い、８００〜１２５０℃の高温で焼成しているので、磁器と印刷面が非常に硬いガラス質に覆われ、高耐久性が得られる。またＱＲコードについては、将来は更に情報量が増えたものが開発されるであろうし、個人の情報をセキュリティを保持しながら表示するには極めて顕著なる効果を有するものであり、しかも従来の守札或いは迷子札を製造販売していた業者にとっても新規なる商品が開発されたものである等、産業上の利用可能性は極めて大である。
【図面の簡単な説明】
【００１７】
【図１】  守札（迷子札）の正面図
【図２】  ＱＲコードを付した守札（迷子札）の背面図
【図３】  その他の実施例の正面図
【図４】  その他の実施例の背面図
【符号の説明】
【００１８】  １  守札（迷子札）
２  ＱＲコード
３  袋
４  開口部
【図１】
0003161031.tif 000003
【図２】
0003161031.tif 000004
【図３】
0003161031.tif 000005
【図４】
0003161031.tif 000006
【手続補正書】
【提出日】平成21年9月3日(2009.9.3)
【手続補正１】
【補正対象書類名】実用新案登録請求の範囲
【補正対象項目名】全文
【補正方法】変更
【補正の内容】
【実用新案登録請求の範囲】
【請求項１】
セラミックス又はガラス又は金属板又は紙類又は不織布の表面に、マトリックス方式の２次元コードを焼き付けてなる守札、迷子札。
【請求項２】
前記迷子札の表面に焼き付けた２次元コードに個人情報、即ち、住所、氏名、年齢、詳細な血液型、持病、電話番号等を格納したことを特徴とする請求項１の迷子札。
【請求項３】
前記守札の表面に焼き付けた２次元コードに般若心経等、経文を格納してなる請求項１の守札。
【請求項４】
前記守札及び迷子札の一面に住所、氏名、年齢、詳細な血液型、持病、電話番号等の個人情報を格納した２次元コードを焼きつけ、他面には般若心経等、経典を格納した２次元コードを焼き付けてなる請求項１、２または３に記載の守札、迷子札。
【請求項５】
前記守札及び迷子札の表面に神仏を表す文字等を記し、裏面には氏名、年齢、詳細な血液型、持病、電話番号の個人情報を格納した２次元コードを焼きつけてなる請求項１、２または３に記載の守札、迷子札。
【請求項６】
前記守札を入れる錦織等からなる袋の一側、即ち守札に焼き付けた２次元コードの該当する部位に、当該２次元コードを外部から見ることが出来る開口部を設けてなる請求項１、２、４または５に記載の守札、迷子札。
【手続補正２】
【補正対象書類名】明細書
【補正対象項目名】全文
【補正方法】変更
【補正の内容】
【考案の詳細な説明】
【技術分野】
【０００１】  本考案は、従来の守札、迷子札の改良に関するものである。
【背景技術】
【０００２】  従来より守札、迷子札は広く利用されている。守札は社寺の護符や呪符を身につけて、悪霊を防ぐもの。紙、布、木の葉、木片、貝、金属などに神仏の名や経典の呪文が記されており、虫除け、火難水難除け、厄病除けから家内安全、交通安全、安産祈願、合格祈願、商売繁盛まで、その目的は多方面にわたる。【０００３】  守札は通常「お守り」と呼ばれ、錦などで作られた袋に入れられた状態で頒布されている。元々は陰陽道や寺院で作られたものが神道にも導入されたものであり、今日でも、寺院でも神社と同様の守札が頒布されている。お札が家庭の守りであるのに対し、守札は個人的に神の利益を願うものである。身につけるものであるとされる。【０００４】  迷子札は、住所、氏名、電話番号等が記されているのが普通であり、従来は幼子の身に着けていたものであるが、近年は痴呆症の老人等にもつけている。しかし、個人情報の開示ということから、この程度の個人情報もあからさまに記すということに抵抗を感じる向きもあった。またこれは幼子、老人を問わずに言えることであるが、事故に遭遇したような場合に、詳細な血液型であるとか、特別な持病をもつものは、それが記されていれば緊急時に役立つのであるが、迷子札にしても大きさの問題もあり、多数の文字を表示するには困難な面もあった。【０００５】  また守札にしても、単に神仏を表す文字等を記すだけでなく、経文も記しておけば良いのであるが、例えば般若心経を記すにしても文字数は２６０余となり、肉眼で読み取れる文字とするならば、最低でも４ｃｍ角は必要となることから、大きさの関係から言えばお守りに経文を記すことは難事であった。
【考案の開示】
【考案が解決しようとする課題】
【０００５】  社寺の護符や呪符を身につけて、悪霊を防ぐという単なる守札でなく、般若心経等の経文が読めるようにし、また迷子札と兼用として、当人の詳細事項を書き込み、当該個人の詳細事項があからさまには見えないようにすること、これが発明が解決しようとする課題である。
【課題を解決するための手段】
【０００６】  個人の情報等を小面積に表示するには、読み取りの速さと正確さ、操作性の高さなどの特長から広く普及しているバーコードがあるが、バーコードは横方向にしか情報を持たないので、縦横に情報をもつ２次元コードであれば格納できる情報量が多く、数字だけでなく英字や漢字のデータも格納できるものであり、守札に個人の情報等、また般若心経等の経文を格納した当該２次元コードを付すること、これが問題を解決するための手段である。
【考案の効果】
【０００７】セラミックス又はガラス又は金属板又は紙類又は不織布等の表面に、マトリックス方式の２次元コードを焼き付けてなる守札、迷子札であり、更には、前記迷子札の表面に焼き付けた２次元コードに個人情報、即ち、住所、氏名、年齢、詳細な血液型、持病、電話番号等を格納したことを特徴とする迷子札であり、更には、前記守札の表面に焼き付けた２次元コードに般若心経等、経文を格納してなる守札であり、更には、前記迷子札の一面に住所、氏名、年齢、詳細な血液型、持病、電話番号等の個人情報を格納した２次元コードを焼きつけ、他面の守札には般若心経等、経典を格納した２次元コードを焼き付けてなる守札、迷子札であり、更には、前記守札の表面に神仏を表す文字等を記し、裏面には氏名、年齢、詳細な血液型、持病、電話番号等の個人情報を格納した２次元コードを焼きつけてなる守札、迷子札であり、更には、前記守札、迷子札を入れる錦織等からなる袋の一側、即ち守札、迷子札に焼き付けた２次元コードの該当する部位に、当該２次元コードを外部から見ることが出来る開口部を設けてなる守札、迷子札であるから、従来の守札は単に社寺の護符や呪符を身につけて、悪霊を防ぐものであり、迷子札にあっては名前と住所、電話番号程度の記載であったが、本考案では、格納できる情報量が多く、数字だけでなく英字や漢字のデータも格納できる２次元コードを守札或いは迷子札に付しているので、２次元コードは漢字、ひらがなで１．８１７文字が格納でき、個人の情報は詳細に表示できる、また当該２次元コードの読み取りも現在ではほとんどの携帯電話で可能であり、情報は判永久的に保存でき、しかも容易に表示することが出来る。しかも、個人情報をあからさまに表示するのでなく、２次元コードに格納しているのでセキュリティにも万全である。また、守札或いは迷子札は収納している袋の２次元コードに該当する部位に開口部を設けているので、札を袋から出さずとも読み取ることが出来る。更に、守札１にあっては単なる社寺の護符や呪符でなく、般若心経等の経文を２次元コードに格納しているので、寺院に参拝の折には、当該２次元コードを読み取り、般若心経等を読経することが出来る。その上、迷子札にあっては、従来の迷子札が主として幼児対象で会ったが、アルツハイマー型認知症等の人々にも携帯させれば、緊急時にその人の血液型、病状等の情報が病院において即座に読み取ることが出来、緊急医療に大いに役立つものである。また守札、迷子札は軽量強化磁器としているので焼成時の変形も少なく強度も得られ、その表面に２次元コードをシルクスクリーン印刷や４色分解フイルムにより印刷した後、ガラス質で表面を覆い、８００〜１２５０℃の高温で焼成しているので、磁器と印刷面が非常に硬いガラス質に覆われ、高耐久性が得られる。また２次元コードについては、将来は更に情報量が増えたものが開発されるであろうし、個人の情報をセキュリティを保持しながら表示するには極めて顕著なる効果を有するものである。
【考案を実施するための形態】
【０００８】セラミックス又はガラス又は金属板又は紙類又は不織布の表面に、マトリックス方式の２次元コードを焼き付けてなる守札であり、更には、前記迷子札の表面に焼き付けた２次元コードに個人情報、即ち、住所、氏名、年齢、詳細な血液型、持病、電話番号等を格納したことを特徴とする請求項１の迷子札であり、更には、前記守札の表面に焼き付けた２次元コードに般若心経等、経文を格納してなる守札であり、更には、前記一面の迷子札に住所、氏名、年齢、詳細な血液型、持病、電話番号の個人情報を格納した２次元コードを焼きつけ、他面の守札には般若心経等、経典を格納した２次元コードを焼き付けてなる守札、迷子札であり、更には、前記守札の表面に神仏を表す文字等を記し、裏面には氏名、年齢、詳細な血液型、持病、電話番号等の個人情報を格納した２次元コードを焼きつけてなる守札、迷子札であり、更には、前記守札、迷子札を入れる錦織等からなる袋の一側、即ち守札、迷子札に焼き付けた２次元コードの該当する部位に、当該２次元コードを外部から見ることが出来る開口部を設けてなる守札を呈せんとするものである。
【実施例１】
【０００９】本考案において守札（迷子札）１の材料としてはセラミックス又はガラス又は金属板又は紙類又は不織布等としているが、本実施例においてはセラミックスとし、セラミックスは陶磁器全般をさしているが、本実施例においては焼成時の変形が少なく、しかも強度の得られる軽量強化磁器製としている。当該守札１の一面にマトリックス方式の２次元コードを印刷している。印刷方法としては、守札、迷子札１の一面に２次元コード２をシルクスクリーン印刷や４色分解フイルムにより印刷した後、ガラス質で表面を覆い、８００〜１２５０℃の高温で焼成している。ただ前述のように守札、迷子札１の材料としてはガラス類、金属類、紙類、不織布製のものもある。【００１０】２次元コード２には、個人情報、即ち、住所、氏名、年齢、詳細な血液型、持病、電話番号等を格納し、緊急時に当該２次元コードを読み取ることにより、救急医療等にいて詳細な個人情報が即座に得られるようにしている。【００１１】２次元コード２に般若心経等、経文を格納し、仏前又は墓前或いは寺院等を参拝する際に、当該２次元コード２を携帯電話等で読み取れば、携帯電話のモニター面に経文が表示され、当該経文を読みながら読経することが出来るようにしている。【００１２】守札（迷子札）１の一面に住所、氏名、年齢、詳細な血液型、持病、電話番号等の個人情報を格納した２次元コード２を焼きつけ、他面には般若心経等、経典を格納した２次元コード２を焼き付け、一枚のカードで守札と迷子札を兼用すべく構成している。【００１３】一面の守札１に神仏を表す文字等を記し、他面の迷子札側には氏名、年齢、詳細な血液型、持病、電話番号等の個人情報を格納した２次元コード２を焼きつけて、一枚のカードで守札と迷子札を兼用すべく構成している。【００１４】守札（迷子札）１を入れる錦織等からなる袋３の一側、即ち守札、迷子札１に焼き付けた２次元コード２の該当する部位に、当該２次元コード２を外部から見ることが出来る開口部４を設けている。【００１５】出願人は、守札（迷子札）１を錦織等からなる袋３に収納せずに、守札（迷子札）１そのものにストラップをつけたキーホルダータイプとすることも実施している。この場合、守札（迷子札）１の形状は四角形、丸形等、薗形状は問わない。また、その他の実施例として、袋３を錦織等の袋とせずに、透明なるビニール類としている。また従来と同じような紙類の守札１或いは不織布からなる守札、迷子札１の他面に２次元コード２を付したものも実施している。
【産業上の利用可能性】
【００１６】セラミックス又はガラス又は金属板又は紙類又は不織布等の表面に、マトリックス方式の２次元コードを焼き付けてなる守札、迷子札であり、更には、前記迷子札の表面に焼き付けた２次元コードに個人情報、即ち、住所、氏名、年齢、詳細な血液型、持病、電話番号等を格納したことを特徴とする迷子札であり、更には、前記守札の表面に焼き付けた２次元コードに般若心経等、経文を格納してなる守札であり、更には、前記迷子札面に住所、氏名、年齢、詳細な血液型、持病、電話番号等の個人情報を格納した２次元コードを焼きつけ、他面の守札側には般若心経等、経典を格納した２次元コードを焼き付けてなる守札、守札であり、更には、前記守札の表面に神仏を表す文字等を記し、裏面には氏名、年齢、詳細な血液型、持病、電銛番号等の個人情報を格納した２次元コードを焼きつけてなる守札、迷子札であり、更には、前記守札、迷子札を入れる錦織等からなる袋の一側、即ち守札、迷子札に焼き付けた２次元コードの該当する部位に、当該２次元コードを外部から見ることが出来る開口部を設けてなる守札、迷子札であるから、従来の守札は単に社寺の護符や呪符を身につけて、悪霊を防ぐものであり、迷子札にあっては名前と住所、電話番号程度の記載であったが、本考案では、格納できる情報量が多く、数字だけでなく英字や漢字のデータも格納できる２次元コード２を守札１或いは迷子札１に付しているので、２次元コード２は漢字、ひらがなで１．８１７文字が格納でき、個人の情報は詳細に表示できる、また当該２次元コード２の読み取りも現在ではほとんどの携帯電話で可能であり、情報は判永久的に保存でき、しかも容易に表示することが出来る。しかも、個人情報をあからさまに表示するのでなく、２次元コード２に格納しているのでセキュリティにも万全である。更に、守札１にあっては単なる社寺の護符や呪符でなく、般若心経等の経文を２次元コードに格納しているので、寺院に参拝の折には、当該２次元コードを読み取り、般若心経等を読経することが出来る。その上、迷子札にあっては、従来の迷子札が主として幼児対象で会ったが、アルツハイマー型認知症等の人々にも携帯させれば、緊急時にその人々の血液型、病状等の情報が病院において即座に読み取ることが出来、緊急医療に大いに役立つ。また守札、迷子札は軽量強化磁器としているので焼成時の変形も少なく強度も得られ、その表面に２次元コード２をシルクスクリーン印刷や４色分解フイルムにより印刷した後、ガラス質で表面を覆い、８００〜１２５０℃の高温で焼成しているので、磁器と印刷面が非常に硬いガラス質に覆われ、高耐久性が得られる。また２次元コードについては、将来は更に情報量が増えたものが開発されるであろうし、個人の情報をセキュリティを保持しながら表示するには極めて顕著なる効果を有するものであり、しかも従来の守札或いは迷子札を製造販売していた業者にとっても新規なる商品が開発されたものである等、産業上の利用可能性は極めて大である。
【図面の簡単な説明】
【００１７】
【図１】守札（迷子札）の正面図
【図２】２次元コードを付した守札（迷子札）の背面図
【図３】その他の実施例の正面図
【図４】その他の実施例の背面図
【符号の説明】
【００１８】１  守札（迷子札）
２  ２次元コード
３  袋
４  開口部
【手続補正書】
【提出日】平成21年11月2日(2009.11.2)
【手続補正１】
【補正対象書類名】実用新案登録請求の範囲
【補正対象項目名】全文
【補正方法】変更
【補正の内容】
【実用新案登録請求の範囲】
【請求項１】
セラミックス又はガラス又は金属板又は紙類又は不織布の表面に、マトリックス方式の２次元コードを焼き付けてなる守札。
【請求項２】
セラミックス又はガラス又は金属板又は紙類又は不織布の表面に、マトリックス方式の２次元コードを焼き付けてなる迷子札。
【請求項３】
前記守札の表面に焼き付けた２次元コードに般若心経、経文を格納してなる請求項１に記載の守札。
【請求項４】
前記迷子札の表面に焼き付けた２次元コードに個人情報、即ち、住所、氏名、年齢、詳細な血液型、持病、電話番号を格納したことを特徴とする請求項２に記載の迷子札。
【請求項５】
前記守札及び迷子札の一面に住所、氏名、年齢、詳細な血液型、持病、電話番号の個人情報を格納した２次元コードを焼きつけ、他面には般若心経、経典を格納した２次元コードを焼き付けてなる請求項１または３に記載の守札。
【請求項６】
前記守札及び迷子札の一面に住所、氏名、年齢、詳細な血液型、持病、電話番号の個人情報を格納した２次元コードを焼きつけ、他面には般若心経、経典を格納した２次元コードを焼き付けてなる請求項２または４に記載の迷子札。
【請求項７】
前記守札及び迷子札の表面に神仏を表す文字を記し、裏面には氏名、年齢、詳細な血液型、持病、電話番号の個人情報を格納した２次元コードを焼きつけてなる請求項１、３または５に記載の守札。
【請求項８】
前記守札及び迷子札の表面に神仏を表す文字を記し、裏面には氏名、年齢、詳細な血液型、持病、電話番号の個人情報を格納した２次元コードを焼きつけてなる請求項２、４または６に記載の迷子札。
【請求項９】
前記守札または迷子札を入れる錦織からなる袋の一側、即ち守札、迷子札に焼き付けた２次元コードの該当する部位に、当該２次元コードを外部から見ることが出来る開口部を設けてなる請求項１、３、５または７に記載の守札。
【請求項１０】
前記守札または迷子札を入れる錦織からなる袋の一側、即ち守札、迷子札に焼き付けた２次元コードの該当する部位に、当該２次元コードを外部から見ることが出来る開口部を設けてなる請求項２、４、６または８に記載の迷子札。
【手続補正２】
【補正対象書類名】明細書
【補正対象項目名】０００７
【補正方法】変更
【補正の内容】
【０００７】セラミックス又はガラス又は金属板又は紙類又は不織布の表面に、マトリックス方式の２次元コードを焼き付けてなる守札であり、更には、セラミックス又はガラス又は金属板又は紙類又は不織布の表面に、マトリックス方式の２次元コードを焼き付けてなる迷子札であり、更には、前記守札の表面に焼き付けた２次元コードに般若心経、経文を格納してなる請求項１に記載の守札であり、更には、前記迷子札の表面に焼き付けた２次元コードに個人情報、即ち、住所、氏名、年齢、詳細な血液型、持病、電話番号を格納したことを特徴とする請求項２に記載の迷子札であり、更には、前記守札及び迷子札の一面に住所、氏名、年齢、詳細な血液型、持病、電話番号の個人情報を格納した２次元コードを焼きつけ、他面には般若心経、経典を格納した２次元コードを焼き付けてなる請求項１または３に記載の守札であり、更には、前記守札及び迷子札の一面に住所、氏名、年齢、詳細な血液型、持病、電話番号の個人情報を格納した２次元コードを焼きつけ、他面には般若心経、経典を格納した２次元コードを焼き付けてなる請求項２または４に記載の迷子札であり、更には、前記守札及び迷子札の表面に神仏を表す文字を記し、裏面には氏名、年齢、詳細な血液型、持病、電話番号の個人情報を格納した２次元コードを焼きつけてなる請求項１、３または５に記載の守札であり、更には、前記守札及び迷子札の表面に神仏を表す文字を記し、裏面には氏名、年齢、詳細な血液型、持病、電話番号の個人情報を格納した２次元コードを焼きつけてなる請求項２、４または６に記載の迷子札であり、更には、前記守札または迷子札を入れる錦織からなる袋の一側、即ち守札、迷子札に焼き付けた２次元コードの該当する部位に、当該２次元コードを外部から見ることが出来る開口部を設けてなる請求項１、３、５または７に記載の守札であり、更には、前記守札または迷子札を入れる錦織からなる袋の一側、即ち守札、迷子札に焼き付けた２次元コードの該当する部位に、当該２次元コードを外部から見ることが出来る開口部を設けてなる請求項２、４、６または８に記載の迷子札であるから、従来の守札は単に社寺の護符や呪符を身につけて、悪霊を防ぐものであり、迷子札にあっては名前と住所、電話番号程度の記載であったが、本考案では、格納できる情報量が多く、数字だけでなく英字や漢字のデータも格納できる２次元コードを守札或いは迷子札に付しているので、２次元コードは漢字、ひらがなで１．８１７文字が格納でき、個人の情報は詳細に表示できる、また当該２次元コードの読み取りも現在ではほとんどの携帯電話で可能であり、情報は半永久的に保存でき、しかも容易に表示することが出来る。しかも、個人情報をあからさまに表示するのでなく、２次元コードに格納しているのでセキュリティにも万全である。また、守札或いは迷子札は収納している袋の２次元コードに該当する部位に開口部を設けているので、札を袋から出さずとも読み取ることが出来る。更に、守札１にあっては単なる社寺の護符や呪符でなく、般若心経等の経文を２次元コードに格納しているので、寺院に参拝の折には、当該２次元コードを読み取り、般若心経等を読経することが出来る。その上、迷子札にあっては、従来の迷子札が主として幼児対象で会ったが、アルツハイマー型認知症等の人々にも携帯させれば、緊急時にその人の血液型、病状等の情報が病院において即座に読み取ることが出来、緊急医療に大いに役立つものである。また守札、迷子札は軽量強化磁器としているので焼成時の変形も少なく強度も得られ、その表面に２次元コードをシルクスクリーン印刷や４色分解フィルムにより印刷した後、ガラス質で表面を覆い、８００〜１２５０℃の高温で焼成しているので、磁器と印刷面が非常に硬いガラス質に覆われ、高耐久性が得られる。また２次元コードについては、将来は更に情報量が増えたものが開発されるであろうし、個人の情報をセキュリティを保持しながら表示するには極めて顕著なる効果を有するものである。
【手続補正３】
【補正対象書類名】明細書
【補正対象項目名】００１６
【補正方法】変更
【補正の内容】
【００１６】セラミックス又はガラス又は金属板又は紙類又は不織布の表面に、マトリックス方式の２次元コードを焼き付けてなる守札であり、更には、セラミックス又はガラス又は金属板又は紙類又は不織布の表面に、マトリックス方式の２次元コードを焼き付けてなる迷子札であり、更には、前記守札の表面に焼き付けた２次元コードに般若心経、経文を格納してなる守札であり、更には、前記迷子札の表面に焼き付けた２次元コードに個人情報、即ち、住所、氏名、年齢、詳細な血液型、持病、電話番号を格納したことを特徴とする迷子札であり、更には、前記守札及び迷子札の一面に住所、氏名、年齢、詳細な血液型、持病、電話番号の個人情報を格納した２次元コードを焼きつけ、他面には般若心経、経典を格納した２次元コードを焼き付けてなる守札であり、更には、前記守札及び迷子札の一面に住所、氏名、年齢、詳細な血液型、持病、電話番号の個人情報を格納した２次元コードを焼きつけ、他面には般若心経、経典を格納した２次元コードを焼き付けてなる迷子札であり、更には、前記守札及び迷子札の表面に神仏を表す文字を記し、裏面には氏名、年齢、詳細な血液型、持病、電話番号の個人情報を格納した２次元コードを焼きつけてなる守札であり、更には、前記守札及び迷子札の表面に神仏を表す文字を記し、裏面には氏名、年齢、詳細な血液型、持病、電話番号の個人情報を格納した２次元コードを焼きつけてなる迷子札であり、更には、前記守札または迷子札を入れる錦織からなる袋の一側、即ち守札、迷子札に焼き付けた２次元コードの該当する部位に、当該２次元コードを外部から見ることが出来る開口部を設けてなる守札であり、更には、前記守札または迷子札を入れる錦織からなる袋の一側、即ち守札、迷子札に焼き付けた２次元コードの該当する部位に、当該２次元コードを外部から見ることが出来る開口部を設けてなる迷子札であるから、従来の守札は単に社寺の護符や呪符を身につけて、悪霊を防ぐものであり、迷子札にあっては名前と住所、電話番号程度の記載であったが、本考案では、格納できる情報量が多く、数字だけでなく英字や漢字のデータも格納できる２次元コード２を守札１或いは迷子札１に付しているので、２次元コード２は漢字、ひらがなで１．８１７文字が格納でき、個人の情報は詳細に表示できる、また当該２次元コード２の読み取りも現在ではほとんどの携帯電話で可能であり、情報は半永久的に保存でき、しかも容易に表示することが出来る。しかも、個人情報をあからさまに表示するのでなく、２次元コード２に格納しているのでセキュリティにも万全である。更に、守札１にあっては単なる社寺の護符や呪符でなく、般若心経等の経文を２次元コードに格納しているので、寺院に参拝の折には、当該２次元コードを読み取り、般若心経等を読経することが出来る。その上、迷子札にあっては、従来の迷子札が主として幼児対象で会ったが、アルツハイマー型認知症等の人々にも携帯させれば、緊急時にその人々の血液型、病状等の情報が病院において即座に読み取ることが出来、緊急医療に大いに役立つ。また守札、迷子札は軽量強化磁器としているので焼成時の変形も少なく強度も得られ、その表面に２次元コード２をシルクスクリーン印刷や４色分解フィルムにより印刷した後、ガラス質で表面を覆い、８００〜１２５０℃の高温で焼成しているので、磁器と印刷面が非常に硬いガラス質に覆われ、高耐久性が得られる。また２次元コードについては、将来は更に情報量が増えたものが開発されるであろうし、個人の情報をセキュリティを保持しながら表示するには極めて顕著なる効果を有するものであり、しかも従来の守札或いは迷子札を製造販売していた業者にとっても新規なる商品が開発されたものである等、産業上の利用可能性は極めて大である。
【手続補正書】
【提出日】平成22年1月21日(2010.1.21)
【手続補正１】
【補正対象書類名】実用新案登録請求の範囲
【補正対象項目名】全文
【補正方法】変更
【補正の内容】
【実用新案登録請求の範囲】
【請求項１】
セラミックス又はガラス又は金属板又は紙類又は不織布の表面に、マトリックス方式の２次元コードを焼き付けてなる守札。
【請求項２】
セラミックス又はガラス又は金属板又は紙類又は不織布の表面に、マトリックス方式の２次元コードを焼き付けてなる迷子札。
【請求項３】
前記守札の表面に焼き付けた２次元コードに般若心経、経文を格納してなる請求項１に記載の守札。
【請求項４】
前記迷子札の表面に焼き付けた２次元コードに個人情報、即ち、住所、氏名、年齢、詳細な血液型、持病、電話番号を格納したことを特徴とする請求項２に記載の迷子札。
【請求項５】
前記守札の一面に住所、氏名、年齢、詳細な血液型、持病、電話番号の個人情報を格納した２次元コードを焼きつけ、他面には般若心経、経典を格納した２次元コードを焼き付けてなる請求項１または３に記載の守札。
【請求項６】
前記迷子札の一面に住所、氏名、年齢、詳細な血液型、持病、電話番号の個人情報を格納した２次元コードを焼きつけ、他面には般若心経、経典を格納した２次元コードを焼き付けてなる請求項２または４に記載の迷子札。
【請求項７】
前記守札の表面に神仏を表す文字を記し、裏面には氏名、年齢、詳細な血液型、持病、電話番号の個人情報を格納した２次元コードを焼きつけてなる請求項１、３または５に記載の守札。
【請求項８】
前記迷子札の表面に神仏を表す文字を記し、裏面には氏名、年齢、詳細な血液型、持病、電話番号の個人情報を格納した２次元コードを焼きつけてなる請求項２、４または６に記載の迷子札。
【請求項９】
前記守札を入れる錦織からなる袋の一側、即ち守札、迷子札に焼き付けた２次元コードの該当する部位に、当該２次元コードを外部から見ることが出来る開口部を設けてなる請求項１、３、５または７に記載の守札。
【請求項１０】
前記迷子札を入れる錦織からなる袋の一側、即ち守札、迷子札に焼き付けた２次元コードの該当する部位に、当該２次元コードを外部から見ることが出来る開口部を設けてなる請求項２、４、６または８に記載の迷子札。
【手続補正書】
【提出日】平成22年1月21日(2010.1.21)
【手続補正１】
【補正対象書類名】明細書
【補正対象項目名】０００７
【補正方法】変更
【補正の内容】
【０００７】  セラミックス又はガラス又は金属板又は紙類又は不織布の表面に、マトリックス方式の２次元コードを焼き付けてなる守札であり、更には、セラミックス又はガラス又は金属板又は紙類又は不織布の表面に、マトリックス方式の２次元コードを焼き付けてなる迷子札であり、更には、前記守札の表面に焼き付けた２次元コードに般若心経、経文を格納してなる請求項１に記載の守札であり、
更には、前記迷子札の表面に焼き付けた２次元コードに個人情報、即ち、住所、氏名、年齢、詳細な血液型、持病、電話番号を格納したことを特徴とする請求項２に記載の迷子札であり、更には、前記守札の一面に住所、氏名、年齢、詳細な血液型、持病、電話番号の個人情報を格納した２次元コードを焼きつけ、他面には般若心経、経典を格納した２次元コードを焼き付けてなる請求項１または３に記載の守札であり、更には、前記迷子札の一面に住所、氏名、年齢、詳細な血液型、持病、電話番号の個人情報を格納した２次元コードを焼きつけ、他面には般若心経、経典を格納した２次元コードを焼き付けてなる請求項２または４に記載の迷子札であり、更には、前記守札の表面に神仏を表す文字を記し、裏面には氏名、年齢、詳細な血液型、持病、電話番号の個人情報を格納した２次元コードを焼きつけてなる請求項１、３または５に記載の守札であり、
更には、前記迷子札の表面に神仏を表す文字を記し、裏面には氏名、年齢、詳細な血液型、持病、電話番号の個人情報を格納した２次元コードを焼きつけてなる請求項２、４または６に記載の迷子札であり、更には、前記守札を入れる錦織からなる袋の一側、即ち守札、迷子札に焼き付けた２次元コードの該当する部位に、当該２次元コードを外部から見ることが出来る開口部を設けてなる請求項１、３、５または７に記載の守札であり、更には、前記迷子札を入れる錦織からなる袋の一側、即ち守札、迷子札に焼き付けた２次元コードの該当する部位に、当該２次元コードを外部から見ることが出来る開口部を設けてなる請求項２、４、６または８に記載の迷子札であるから、従来の守札は単に社寺の護符や呪符を身につけて、悪霊を防ぐものであり、迷子札にあっては名前と住所、電話番号程度の記載であったが、本考案では、格納できる情報量が多く、数字だけでなく英字や漢字のデータも格納できる２次元コードを守札或いは迷子札に付しているので、２次元コードは漢字、ひらがなで１．８１７文字が格納でき、個人の情報は詳細に表示できる、また当該２次元コードの読み取りも現在ではほとんどの携帯電話で可能であり、情報は半永久的に保存でき、しかも容易に表示することが出来る。しかも、個人情報をあからさまに表示するのでなく、２次元コードに格納しているのでセキュリティにも万全である。また、守札或いは迷子札は収納している袋の２次元コードに該当する部位に開口部を設けているので、札を袋から出さずとも読み取ることが出来る。更に、守札１にあっては単なる社寺の護符や呪符でなく、般若心経等の経文を２次元コードに格納しているので、寺院に参拝の折には、当該２次元コードを読み取り、般若心経等を読経することが出来る。その上、迷子札にあっては、従来の迷子札が主として幼児対象で会ったが、アルツハイマー型認知症等の人々にも携帯させれば、緊急時にその人の血液型、病状等の情報が病院において即座に読み取ることが出来、緊急医療に大いに役立つものである。また守札、迷子札は軽量強化磁器としているので焼成時の変形も少なく強度も得られ、その表面に２次元コードをシルクスクリーン印刷や４色分解フイルムにより印刷した後、ガラス質で表面を覆い、８００〜１２５０℃の高温で焼成しているので、磁器と印刷面が非常に硬いガラス質に覆われ、高耐久性が得られる。また２次元コードについては、将来は更に情報量が増えたものが開発されるであろうし、個人の情報をセキュリティを保持しながら表示するには極めて顕著なる効果を有するものである。
【手続補正２】
【補正対象書類名】明細書
【補正対象項目名】００１６
【補正方法】変更
【補正の内容】
【００１６】  セラミックス又はガラス又は金属板又は紙類又は不織布の表面に、マトリックス方式の２次元コードを焼き付けてなる守札であり、更には、セラミックス又はガラス又は金属板又は紙類又は不織布の表面に、マトリックス方式の２次元コードを焼き付けてなる迷子札であり、更には、前記守札の表面に焼き付けた２次元コードに般若心経、経文を格納してなる守札であり、更には、前記迷子札の表面に焼き付けた２次元コードに個人情報、即ち、住所、氏名、年齢、詳細な血液型、持病、電話番号を格納したことを特徴とする迷子札であり、更には、前記守札の一面に住所、氏名、年齢、詳細な血液型、持病、電話番号の個人情報を格納した２次元コードを焼きつけ、他面には般若心経、経典を格納した２次元コードを焼き付けてなる守札であり、更には、前記迷子札の一面に住所、氏名、年齢、詳細な血液型、持病、電話番号の個人情報を格納した２次元コードを焼きつけ、他面には般若心経、経典を格納した２次元コードを焼き付けてなる迷子札であり、更には、前記守札の表面に神仏を表す文字を記し、裏面には氏名、年齢、詳細な血液型、持病、電話番号の個人情報を格納した２次元コードを焼きつけてなる守札であり、更には、前記迷子札の表面に神仏を表す文字を記し、裏面には氏名、年齢、詳細な血液型、持病、電話番号の個人情報を格納した２次元コードを焼きつけてなる迷子札であり、更には、前記守札を入れる錦織からなる袋の一側、即ち守札、迷子札に焼き付けた２次元コードの該当する部位に、当該２次元コードを外部から見ることが出来る開口部を設けてなる守札であり、更には、前記迷子札を入れる錦織からなる袋の一側、即ち守札、迷子札に焼き付けた２次元コードの該当する部位に、当該２次元コードを外部から見ることが出来る開口部を設けてなる迷子札であるから、従来の守札は単に社寺の護符や呪符を身につけて、悪霊を防ぐものであり、迷子札にあっては名前と住所、電話番号程度の記載であったが、本考案では、格納できる情報量が多く、数字だけでなく英字や漢字のデータも格納できる２次元コード２を守札１或いは迷子札１に付しているので、２次元コード２は漢字、ひらがなで１．８１７文字が格納でき、個人の情報は詳細に表示できる、また当該２次元コード２の読み取りも現在ではほとんどの携帯電話で可能であり、情報は半永久的に保存でき、しかも容易に表示することが出来る。しかも、個人情報をあからさまに表示するのでなく、２次元コード２に格納しているのでセキュリティにも万全である。更に、守札１にあっては単なる社寺の護符や呪符でなく、般若心経等の経文を２次元コードに格納しているので、寺院に参拝の折には、当該２次元コードを読み取り、般若心経等を読経することが出来る。その上、迷子札にあっては、従来の迷子札が主として幼児対象で会ったが、アルツハイマー型認知症等の人々にも携帯させれば、緊急時にその人々の血液型、病状等の情報が病院において即座に読み取ることが出来、緊急医療に大いに役立つ。また守札、迷子札は軽量強化磁器としているので焼成時の変形も少なく強度も得られ、その表面に２次元コード２をシルクスクリーン印刷や４色分解フイルムにより印刷した後、ガラス質で表面を覆い、８００〜���２５０℃の高温で焼成しているので、磁器と印刷面が非常に硬いガラス質に覆われ、高耐久性が得られる。また２次元コードについては、将来は更に情報量が増えたものが開発されるであろうし、個人の情報をセキュリティを保持しながら表示するには極めて顕著なる効果を有するものであり、しかも従来の守札或いは迷子札を製造販売していた業者にとっても新規なる商品が開発されたものである等、産業上の利用可能性は極めて大である。
【手続補正書】
【提出日】平成22年4月28日(2010.4.28)
【手続補正１】
【補正対象書類名】実用新案登録請求の範囲
【補正対象項目名】全文
【補正方法】変更
【補正の内容】
【実用新案登録請求の範囲】
【請求項１】
セラミックス又はガラス又は金属板又は紙類又は不織布の表面に、マトリックス方式の２次元コードを焼き付けてなる守札。
【請求項２】
セラミックス又はガラス又は金属板又は紙類又は不織布の表面に、マトリックス方式の２次元コードを焼き付けてなる迷子札。
【請求項３】
前記守札の表面に焼き付けた２次元コードに般若心経、経文を格納してなる請求項１に記載の守札。
【請求項４】
前記迷子札の表面に焼き付けた２次元コードに個人情報、即ち、住所、氏名、年齢、詳細な血液型、持病、電話番号を格納したことを特徴とする請求項２に記載の迷子札。
【請求項５】
前記守札の一面に住所、氏名、年齢、詳細な血液型、持病、電話番号の個人情報を格納した２次元コードを焼きつけ、他面には般若心経、経典を格納した２次元コードを焼き付けてなる請求項１または３に記載の守札。
【請求項６】
前記迷子札の一面に住所、氏名、年齢、詳細な血液型、持病、電話番号の個人情報を格納した２次元コードを焼きつけ、他面には般若心経、経典を格納した２次元コードを焼き付けてなる請求項２または４に記載の迷子札。
【請求項７】
前記守札の表面に神仏を表す文字を記し、裏面には氏名、年齢、詳細な血液型、持病、電話番号の個人情報を格納した２次元コードを焼きつけてなる請求項１、３または５に記載の守札。
【請求項８】
前記迷子札の表面に神仏を表す文字を記し、裏面には氏名、年齢、詳細な血液型、持病、電話番号の個人情報を格納した２次元コードを焼きつけてなる請求項２、４または６に記載の迷子札。
【請求項９】
前記守札を入れる錦織からなる袋の一側、即ち守札に焼き付けた２次元コードの該当する部位に、当該２次元コードを外部から見ることが出来る開口部を設けてなる請求項１、３、５または７に記載の守札。
【請求項１０】
前記迷子札を入れる錦織からなる袋の一側、即ち迷子札に焼き付けた２次元コードの該当する部位に、当該２次元コードを外部から見ることが出来る開口部を設けてなる請求項２、４、６または８に記載の迷子札。